(57)【要約】【課題】  パネルへの着脱作業が容易であると共に、パネルを安定した状態で確実且つ安全に吊り上げることができるパネル用吊り具を提供することを目的とする。【解決手段】  ツーバイフォー工法により住宅を構築するための予め形成されたパネル４を吊り上げるためのパネル用吊り具であって、前記パネル用吊り具は、ワイヤー１を介してクレーンのフック２に連結する吊上部材３と、パネル４の上枠部材５を引っ掛けて支持するＬ字状の支持部材６と、該支持部材６に引っ掛けたパネル４の上枠部材５を上方側から抑えて保持する下向きＬ字状の保持部材７と、前記吊上部材３に支持部材６と保持部材７とをそれぞれ回動可能に連結させる連結手段８と、から構成し、前記支持部材６にパネル４の上枠部材５を引っ掛けて吊上部材３を吊り上げることにより、パネル４の荷重によって前記支持部材６及び保持部材７が互いに接近する方向に回動してパネル４の上枠部材５を挟持することを特徴とする。【選択図】      図１
2006063734.tif 000002
【特許請求の範囲】
【請求項１】
ツーバイフォー工法により住宅を構築するための予め形成されたパネル（４）を吊り上げるためのパネル用吊り具であって、前記パネル用吊り具は、ワイヤー（１）を介してクレーンのフック（２）に連結する吊上部材（３）と、パネル（４）の上枠部材（５）を引っ掛けて支持するＬ字状の支持部材（６）と、該支持部材（６）に引っ掛けたパネル（４）の上枠部材（５）を上方側から抑えて保持する下向きＬ字状の保持部材（７）と、前記吊上部材（３）に支持部材（６）と保持部材（７）とをそれぞれ回動可能に連結させる連結手段（８）と、から構成し、前記支持部材（６）にパネル（４）の上枠部材（５）を引っ掛けて吊上部材（３）を吊り上げることにより、パネル（４）の荷重によって前記支持部材（６）及び保持部材（７）が互いに接近する方向に回動してパネル（４）の上枠部材（５）を挟持することを特徴とするパネル用吊り具。
【請求項２】
前記保持部材（７）には、内側に向かって突出する係止爪（１０）が備えてあることを特徴とする請求項１記載のパネル用吊り具。
【発明の詳細な説明】
【技術分野】
【０００１】
本発明は、ツーバイフォー工法により住宅を構築するための予め形成されたパネルを吊り上げるためのパネル用吊り具に関するものである。
【背景技術】
【０００２】
ツーバイフォー工法のように、予め工場等で形成された複数のパネルを建築現場で組み立てる場合には、クレーン等によってパネルを吊り上げながら所定の場所まで運び、各パネル同士を連結することにより組み立てられるものである。また、パネルを工場から建築現場まで輸送する場合の輸送車への積み込み及び積み降ろし作業も、クレーン等によってパネルを吊り上げながら行われている。
【０００３】
クレーン等によってパネルを吊り上げる場合には、従来、２通りの方法があった。まず、パネルの上枠部材となる（２インチ×４インチの断面をもつ）部材に、部材の幅方向又は厚み方向に貫通する穴を２箇所形成し、その穴に環状のワイヤーを通して、そのワイヤーとクレーンのフックの間にワイヤーロープを玉掛けすることでパネルを吊り上げる方法と、２つ目は、クレーンのフックに取り付けられた一対の板状体からなる挟持具でパネルの上端部を挟み込んで吊り上げる方法である。
【発明の開示】
【発明が解決しようとする課題】
【０００４】
しかしながら、従来のパネルの吊り上げ方法には、いくつか不都合な点があった。それは、玉掛けによってパネルを吊り上げる場合においては、予め工場等でパネルに穴を設けておかなければならず、また、建築現場では吊り上げ用のワイヤーロープの取り付け及び取り外し作業に手間が掛かる上に、さらに、穴の形成位置によってパネルの重心位置が不安定になるため、パネルを水平且つ安定に吊り上げるには熟練した技術が必要であった。
【０００５】
また、挟持具でパネルを挟持して吊り上げる場合は、予めパネルに穴を設ける必要はないが、パネルへの挟持具の取り付け及び取り外し作業に手間が掛かると共に、板状体でパネルを挟み込むので、挟持状態があまい場合等は吊り上げ途中でパネルが挟持具から滑り落ちてしまい、非常に危険であるといった問題があった。
【０００６】
そこで本発明は、上記事情に基づいてなされたものであり、パネルへの着脱作業が容易であると共に、パネルを安定した状態で確実且つ安全に吊り上げることができるパネル用吊り具を提供することを目的とする。
【課題を解決するための手段】
【０００７】
上記目的を達成するために、本発明のうち請求項１記載の発明は、ツーバイフォー工法により住宅を構築するための予め形成されたパネルを吊り上げるためのパネル用吊り具であって、前記パネル用吊り具は、ワイヤーを介してクレーンのフックに連結する吊上部材と、パネルの上枠部材を引っ掛けて支持するＬ字状の支持部材と、該支持部材に引っ掛けたパネルの上枠部材を上方側から抑えて保持する下向きＬ字状の保持部材と、前記吊上部材に支持部材と保持部材とをそれぞれ回動可能に連結させる連結手段と、から構成し、前記支持部材にパネルの上枠部材を引っ掛けて吊上部材を吊り上げることにより、パネルの荷重によって前記支持部材及び保持部材が互いに接近する方向に回動してパネルの上枠部材を挟持することを特徴とする。
【０００８】
ここで、連結手段とは、吊上部材に支持部材及び保持部材をそれぞれ回動可能に連結する手段を全て含める概念であり、例えば、連結アームを介して各部材と吊上部材とを連結軸によって回動可能に連結する方法等を挙げることができる。また、支持部材と保持部材とでパネルの上枠部材を挟持した場合には、パネルの上枠部材の全側面が把持された状態になっている。
【０００９】
請求項２記載の発明は、保持部材には、内側に向かって突出する係止爪が備えてあることを特徴とする。ここで、係止爪に関しては、パネルの上枠部材に食い込む状態で係止する形態のものであれば特に限定するものではない。また、係止爪の備え位置に関しても特に限定するものではなく、上面及び側面の両面に備えてもよいし、どちらか一方の面のみに備えてもよいが、側面にのみ備えることが望ましい。
【発明の効果】
【００１０】
本発明のうち請求項１記載の発明によれば、支持部材にパネルの上枠部材を引っ掛けて吊上部材を引き上げるだけで、パネル自身の荷重によってパネルの上枠部材を挟持することができ、また、パネルを基礎や床等に降ろして荷重をなくすことによって、パネルの上枠部材への挟持を解除することができるので、パネルへのパネル用吊り具の取り付け及び取り外し作業が容易に行え、従来のようなパネルへのワイヤーの取り付け及び取り外し作業を省くことが可能となり、作業効率が飛躍的に向上する。また、パネルの上枠部材を挟持する場合、Ｌ字状の支持部材及び保持部材によって、パネルの上枠部材の全側面を把持する状態で挟持することができるので、パネルの吊り上げ途中においてパネルが誤って滑り落ちることを確実に防止でき、安定した状態でパネルを吊り上げることが可能となり、安全性にも非常に優れたパネル用吊り具を提供することができる。さらに、クレーン等によってパネルを吊り上げる際に、パネルの上枠部材の長手方向のほぼ中央位置にパネル用吊り具を取り付けさえすれば、容易にバランス良く安定した状態を保ちながらパネルを吊り上げることが可能であるので、特別高度な技術を必要とせず、初心者であっても容易にパネルの吊り上げ操作を行うことができる。
【００１１】
本発明のうち請求項２記載の発明によれば、係止爪によってパネルの上枠部材を上方側から確実に保持することが可能となり、パネルの上枠部材を各部材によってより一層確実に挟持することができ、その結果、パネルをより一層安定に吊り上げることが可能となる。
【発明を実施するための最良の形態】
【００１２】
以下、本発明の実施形態を図面に基づいて説明する。
【００１３】
本発明のパネル用吊り具は、図１に示すように、ワイヤー１を介してクレーンのフック２に連結する吊上部材３と、パネル４の上枠部材５を引っ掛けて支持する側面Ｌ字状の支持部材６と、支持部材６に引っ掛けたパネル４の上枠部材５を上方側から抑えて保持する側面下向きＬ字状の保持部材７と、吊上部材３に支持部材６と保持部材７とをそれぞれ回動可能に連結させる連結手段８とから構成されている。
ここで、パネル４の上枠部材５とは、ツーバイフォー工法で使用される２インチ×４インチの断面を持つ部材を上下方向に２本重ね合わせたものである。
【００１４】
吊上部材３は断面長方形状をなした下面が曲面をなした棒状であり、上端部にワイヤー１を取り付けるための取付穴９が形成してある。支持部材６は板体をＬ字状に屈曲させたものであり、支持部材６の水平板６ａ上にパネル４の上枠部材５の下面を引っ掛け、支持部材６の垂直板６ｂに上枠部材５の一方の側面を当接させることで、パネル４の上枠部材５の下面及び一方の側面の二面を支えるものである。保持部材７は板体をＬ字状に屈曲させたものであり、支持部材６で支えることが出来ないパネル４の上枠部材５の上面及び他方の側面の二面を上方側から抑えて保持するものである。また、保持部材７がパネル４の上枠部材５からずれることを確実に防止するために、保持部材７の垂直板７ｂの内側には係止爪１０が複数個突出してある。連結手段８は、吊上部材３に支持部材６及び保持部材７をそれぞれ回動可能に連結する手段であり、断面Ｌ字状をなした一対の連結板８ａと、吊上部材３と連結板８ａを連結させる連結軸８ｂとから構成されている。
【００１５】
ここで、支持部材６及び保持部材７の各板６ａ，６ｂ，７ａ，７ｂの寸法に関しては、特に限定するものではないが、ツーバイフォー工法では部材の寸法が決まっていることから、支持部材６の水平板６ａの寸法は８０ｍｍ、垂直板６ｂは７５ｍｍ、保持部材７の水平板７ａは６５ｍｍ、垂直板７ｂは７５ｍｍにすることが望ましい。このような寸法にすることにより、吊上部材３でパネル４を吊り上げる場合に、パネル４の上枠部材５の全側面が支持部材６と保持部材７とによって確実に把持されるため、パネル４の吊り上げ作業を確実且つ安定に行うことができる。
【００１６】
次に、このように構成された各部の組み立て方法について説明する。
【００１７】
まず、吊上部材３に支持部材６を連結させる。連結板８ａの上端部を吊上部材３に連結軸８ｂを用いて連結し、連結板８ａの下端部を支持部材６に固定するものである。図２に示すように、吊上部材３の上下方向の略中心位置に設けた連結穴１１の左右両側に、一対の連結板８ａ，８ａの上端部の一面側にそれぞれ設けた連結穴１３，１３をそれぞれ重ね合わせ、各連結穴１１，１３，１３に連結軸８ｂを貫通させることで、一対の連結板８ａａ，８ａの上端部が吊上部材３を挟み込む状態で回動可能に連結される。そして、支持部材６の垂直板６ｂから外側に向かって突出するように固定された長方形状で吊上部材３とほぼ同じ厚みの固定部材１２の左右両側から挟み込むようにして、一対の連結板８ａ，８ａの下端部の一面側をそれぞれ固着させることにより、吊上部材３への支持部材６の連結が完了する。この場合、一対の連結板８ａ，８ａの他面側は、支持部材６の垂直板６ｂの外側上端に当接している。また、パネル４の上枠部材５を安定に吊り上げるためにも、支持部材６の垂直板６ｂと連結板８ａとの角度は約１３５°にすることが望ましい。
【００１８】
次に、吊上部材３に保持部材７を連結させる。保持部材７は吊上部材３の下端部に連結板８ａを介して回動可能に連結されるものであり、連結方法は前記支持部材６の連結方法と同様である。吊上部材３の下端部に形成された連結穴（図示省略）の左右両側から、一対の連結板８ａ，８ａの上端部の一面側にそれぞれ設けた連結穴（図示省略）をそれぞれ重ね合わせ、各連結穴に連結軸８ｂを貫通させることで、一対の連結板８ａ，８ａが吊上部材３を挟み込む状態で回動可能に連結される。そして、保持部材７の水平板７ａの上面に連結板８ａ，８ａの下端面を固着することにより、吊上部材３への保持部材７の連結が完了する。この場合、吊上部材３の曲面である下面の一部は、保持部材７の水平板７ａの上面に当接しており、保持部材７の回動が吊上部材３の下面の曲面に沿ってスムーズに行うことが可能となる（図３）。
【００１９】
次に、本発明のパネル用吊り具の動作について説明する。
【００２０】
図４（ａ）に示すように、パネル４にパネル吊り具を取り付ける場合、パネル４の上枠部材５の下面と一方の側面とを支持部材６の水平板６ａと垂直板６ｂに当接させて引っ掛ける。そして、図４（ａ）のＡのように吊上部材３を引き上げることにより、パネル４の荷重（図４（ａ）のＢ）によって支持部材６と吊上部材３とが連結軸８ｂを回転軸として互いに接近する方向に回動する（図４（ａ）のＣ）。各部材３，６の接近に伴い、保持部材７も連結板８ａ，８ａを介して連結軸８ｂを回転軸にして、吊上部材３の下面である曲面に沿って回動しながら（図４（ａ）のＤ）、パネル４の上枠部材５の上面及び他方の側面に保持部材７の水平板７ａ及び垂直板７ｂを当接させる。これで、保持部材７がパネル４の上枠部材５を上方側から抑えて保持する状態になる。この際、保持部材７の垂直板７ｂに設けた係止爪１０によって、パネル４の上枠部材５の他方の側面を保持部材７の垂直板７ｂに確実に固定させることができる。つまり、図４（ｂ）に示すように、パネル用吊り具は、パネル４自身の荷重によって支持部材６と保持部材７とを回動させて、パネル４の上枠部材５の全側面を把持する状態で挟持するものである。
【００２１】
逆に、パネル４からパネル用吊り具を取り外す場合には、クレーンによってパネル４を目的位置まで運び、その場所でパネル４を基礎や床等に降ろして、パネル用吊り具に掛かるパネル４の荷重をなくすことによって、吊上部材３が下方に緩み、それに伴って支持部材６及び保持部材７が互いに離れる方向に回動して、パネル４から容易に外れることとなる。
【００２２】
このようにパネル用吊り具を構成することにより、支持部材６にパネル４の上枠部材５を引っ掛けて吊上部材３を引き上げるだけで、パネル４自身の荷重によってパネル４の上枠部材５を挟持することができ、また、パネル４を基礎や床等に降ろして荷重をなくすことによって、パネル４の上枠部材５への挟持を解除することができるので、パネル４へのパネル用吊り具の取り付け及び取り外し作業が容易に行え、従来のようなパネル４へのワイヤーの取り付け及び取り外し作業を省くことが可能となり、作業効率が飛躍的に向上する。また、パネル４の上枠部材５を挟持する場合、Ｌ字状の支持部材６及び保持部材７によって、パネル４の上枠部材５の全側面を把持する状態で挟持することができるので、パネル４の吊り上げ途中においてパネル４が誤って滑り落ちることを確実に防止でき、安定した状態でパネル４を吊り上げることが可能となり、安全性にも非常に優れたパネル用吊り具を提供することができる。さらに、図５に示すように、パネル４の上枠部材５の長手方向のほぼ中央位置にパネル用吊り具を取り付けさえすれば、容易にバランス良く安定した状態を保ちながらパネル４を吊り上げることが可能であるので、特別高度な技術を必要とせず、初心者であってもクレーン等によって容易にパネル４の吊り上げ作業を行うことができる。
【図面の簡単な説明】
【００２３】
【図１】本発明のパネル用吊り具の全体を示す斜視図でる。
【図２】連結手段の要部を示す拡大斜視図である。
【図３】保持部材の回動状態を示す拡大側面図である。
【図４（ａ）（ｂ）】パネル用吊り具の動作を説明する説明図である。
【図５】パネル用吊り具の使用状態を示す一部を省略する斜視図である。
【符号の説明】
【００２４】
１  ワイヤー
２  フック
３  吊上部材
４  パネル
５  上枠部材
６  支持部材
７  保持部材
８  連結手段
１０  係止爪
【図１】
2006063734.tif 000003
【図２】
2006063734.tif 000004
【図３】
2006063734.tif 000005
【図４（ａ）（ｂ）】
2006063734.tif 000006
【図５】
2006063734.tif 000007